(57)【要約】【課題】暗い所あるいは障害物で作業が困難な場所で結束操作が可能な双方向挿通型の結束バンドを提供する。【解決手段】頭部の挿通孔の内部に２個の噛合方向の異なる止め歯を配置し、挿通孔の出口側の止め歯は、バンド部が引き戻される方向に噛合するように形成されており、更にバンド部に設けたレールによって入り口側の止め歯の機能を抑制するように構成されている結束バンドである。【選択図】図８
2015058973.tif 000002
【特許請求の範囲】
【請求項１】
頭部と、この頭部の外表面の中央部より延長されたバンド部を有し、前記頭部に前記バンド部を双方向から挿通できる挿通孔を開口し、この挿通孔内に前記バンド部に挿通した際に、このバンド部に設けた噛合歯と噛合する一対の止め歯を設け、前記止め歯は前記バンド部の挿通方向によって、１個の止め歯のみが噛合するように噛合方向を異ならせていることを特徴とする合成樹脂製結束バンド。
【請求項２】
頭部と、この頭部の外表面の中央より延長されたバンド部を有し、前記頭部に前記バンド部を双方向から挿通できる挿通孔が開口し、この挿通孔内に前記バンド部の挿通方向に一対の止め歯が直列に配置され、前記バンド部は両面に噛合歯を有し、このバンド部が引出される側に位置する１個の止め歯が前記バンド部の噛合歯と噛合するように形成されていることを特徴とする請求項１に記載の合成樹脂製結束バンド。
【請求項３】
頭部と、この頭部の外表面の中央部より延長されたバンド部を有し、前記頭部に前記バンド部を双方向から挿通できる挿通孔が開口し、この挿通孔内に前記バンド部の挿通方向の上下に、前記バンド部に設けた噛合歯と噛合する一対の止め歯を設け、前記止め歯は前記バンド部の挿通向によって、上方あるいは下方の１個の止め歯のみが噛合するように形成されていることを特徴とする請求項１に記載の合成樹脂製結束バンド。
【請求項４】
前記２個の止め歯は、挿通孔内においてスリットを介して背中合わせの状態で配置され、更に止め歯の幅は前記挿通孔の横幅より小さな幅を有し、それぞれ異なる側の壁面に接近して配置されていることを特徴とする請求項２に記載の合成樹脂製結束バンド。
【請求項５】
前記バンド部の上下の表面に、前記２個の止め歯の内、挿通孔の入口側の止め歯の機能を抑制する部材が配置されていることを特徴とする請求項２に記載の合成樹脂製結束バンド。
【請求項６】
前記頭部に開口した挿通孔の壁面に、前記バンド部を所定の位置を保持するガイドレールを設けたことを特徴とする請求項２、４、５の何れかに記載の合成樹脂製結束バンド。
【発明の詳細な説明】
【技術分野】
【０００１】
本発明は合成樹脂製結束バンドの改良に関し、バンド部と頭部とからなる結束バンドにおいて、頭部に開口した挿通孔の前後、何れの方からでもバンド部の先端を挿入して固縛できる合成樹脂製結束バンドに関する。
【背景技術】
【０００２】
合成樹脂製結束バンドは結束するとバンド部を切断しなければ開放ができない固定型と、バンド部と頭部に設けた止め歯との歯合状態を任意に外すことが出来る開放型とがある。
【０００３】
固定型について説明すると、例えば、図１３に示すように結束バンド５０のバンド部５１の後端に頭部５２を配置したものが一般的である。バンド部５２は、挿入し易くするために先端部が薄く、本体部分は一定の幅に形成されている。そしてこのバンド部５１の表面の両側にレール５３が形成され、このレール５３の間に断面が鋸歯状の噛合歯５４が連続して形成されている（特許文献１、２参照）。
【０００４】
通常の結束バンド５０は、頭部５２に設けた挿通孔５５の入口側とバンド部５１の表面は略平坦であり、側面視において頭部５２はバンド部５１の裏面側に張り出した形状になっている。そしてこの頭部５２には前記バンド部５１に直交して挿通孔５５が開口され、この挿通孔５５の内部に止め歯５６が入口側を支点として搖動可能に植立されており、バンド部５１を挿通する際は軽く押し込まれるが、逆にバンド部５１に張力が作用する引張り操作には止め歯５６の噛合により大きな固縛力（緊縛力）を発生する。
【０００５】
この結束バンド５０の固縛操作は、例えば電線のような被固縛物Ｋを固縛する場合は、結束バンド５０の頭部５２を片手で持ち、他方の手でバンド部５１を持って挿通孔５５に挿通し（目通し）、この挿通孔５５の裏側より伸びるバンド部５１に図示しない結束機の把持部に把持させ、レバーを握ることでバンド部５１を結束機内に引き込み、所定の張力で自動的に頭部５２の近傍で切断して固縛作業が完了する。
【０００６】
さて、この結束バンド５０の固縛作業は、通常は、目視によって細かい作業を確かめながら行う一連の作業である。従ってこの目通し作業と固縛作業を手探りで行うことは殆どなく、例えば、作業する場所が床下のような薄暗い場所や電柱などの障害物の裏側のように目視できず、手探りでしかできない目通しと固縛作業は実質的にできないことになる。
【先行技術文献】
【特許文献】
【０００７】
【特許文献１】特開２０１２−４６２４７号公報
【特許文献２】特開２０１２−４１０７４号公報
【発明の概要】
【発明が解決しようとする課題】
【０００８】
本発明の目的は、障害物に遮られた場所や薄暗くて目通し作業の状態を確認できないような場所においても、目通しと固縛作業を容易にできる特殊な止め歯を持つ、双向挿通型の合成樹脂製結束バンドを提供するものである。
【課題を解決するための手段】
【０００９】
上記目的を達成するための本発明の結束バンドは、下記のように構成されている。
１）頭部と、この頭部の外表面の中央部より延長されたバンド部を有し、前記頭部に前記バンド部を双方向から挿通できる挿通孔を開口し、この挿通孔内に前記バンド部に挿通した際に、このバンド部に設けた噛合歯と噛合する一対の止め歯を設け、前記止め歯は前記バンド部の挿通方向によって、１個の止め歯のみが噛合するように噛合方向を異ならせていることを特徴としている。
２）頭部と、この頭部の外表面の中央より延長されたバンド部を有し、前記頭部に前記バンド部を双方向から挿通できる挿通孔が開口し、この挿通孔内に前記バンド部の挿通方向に一対の止め歯が直列に配置され、前記バンド部は両面に噛合歯を有し、このバンド部が引出される側に位置する１個の止め歯が前記バンド部の噛合歯と噛合するように形成されていることを特徴としている（直列型）。
３）頭部と、この頭部の外表面の中央部より延長されたバンド部を有し、前記頭部に前記バンド部を双方向から挿通できる挿通孔が開口し、この挿通孔内に前記バンド部の挿通方向の上下に、前記バンド部に設けた噛合歯と噛合する一対の止め歯を設け、前記止め歯は前記バンド部の挿通向によって、上方あるいは下方の１個の止め歯のみが噛合するように形成されていることを特徴としている（上下型）。
４）前記２個の止め歯は、挿通孔内においてスリットを介して背中合わせの状態で配置され、更に止め歯の幅は前記挿通孔の横幅より小さな幅を有し、それぞれ異なる側の壁面に接近して配置されていることを特徴としている（直列型）。
５）前記バンド部の上下の表面に、前記２個の止め歯の内、挿通孔の入口側の止め歯の機能を抑制する部材が配置されていることを特徴としている（直列型）。
６）前記頭部に開口した挿通孔の壁面に、前記バンド部を所定の位置を保持するガイドレールを設けたことを特徴としている（直列型）。
【発明の効果】
【００１０】
本発明に係る合成樹脂製結束バンドは、頭部の表面の中央部からバンド部が伸びており、全体としてＴ型に形成されている。従って、頭部が横を向くようにバンド部を持ち、この頭部の「左右の何れの方向」からでも、挿通孔にバンド部を挿通させることで、結束作業の準備、つまり目遠し作業が簡単にできる。
【００１１】
このように頭部の挿通孔の両側の何れの方向からもバンド部を挿通してバンド部の噛合歯と止め歯を噛合させることができるので、結束作業を暗い場所や挿通作業がやり難い場所でも、バンド部を挿通孔に挿通して結束固縛することができる。
【００１２】
本発明に係る結束バンドは、バンド部の先端と頭部の挿通孔の状態を全く確認する必要がないことから、手探り状態で結束し固縛することができ、作業効率を一段と向上させることができる。
【００１３】
直列型の結束バンドの製造工程のメリットや結束バンドとしての機能は下記の通りである。
Ａ．頭部の挿通口の内部に噛合の向きが異なる一対の止め歯を背中合わせに配置されているので、一対の止め歯を正確に成形でき、固縛力にすぐれた結束バンドを効率的に製造することができる。
Ｂ．一対の止め歯の内の1個を自動的に噛合しないようにするので、挿通孔の何れの側からバンド部を挿通しても結束機能を発揮させることができるのである。
Ｃ．ガイドレールにより、バンド部を挿通孔内に正確に通過させることができ、また、バンド部の噛合歯と止め歯との噛合状態を安定して発揮させることができる。
Ｄ．止め歯の機能を抑制する部材は、挿通孔の両側の壁に沿って一対の止め歯がそれぞれ配置されるので、両止め歯の間に隙間が形成されている。従って、この隙間を利用して入口側の止め歯の機能を正確に抑制する部材、つまり、バンド部の側部に設けたレールあるいは同等な効果を発揮する部材によって入口側の止め歯を押し下げて噛合せないようにでき、出口側の止め歯の機能を十分に発揮させることができるのである。
【図面の簡単な説明】
【００１４】
【図１】図１は結束バンドの正面図である。
【図２】図２は結束バンドの側面図である。
【図３】図３は頭部とバンド部の中央部の断面図である。
【図４】図４は結束バンド部の頭部の正面図である。
【図５】図５は図４のＶＩ―ＶＩ矢視断面図である。
【図６】図６は図４のＶ―Ｖ矢視断面図である。
【図７】図７は止め歯と噛合歯との噛合状態を示す断面図である。
【図８】図８は２個の止め歯とバンド部との噛合状態を説明する断面図である。
【図９】図９は第２の実施例の頭部とバンド部の側断面図である。
【図１０】図１０は頭部とバンド部の正面図である。
【図１１】図１１は図１０におけるＸＩ―ＸＩ矢視断面図である。
【図１２】図１２はバンド部の断面図である。
【図１３】図１３は従来の結束バンドの噛合状態を示す断面図である。
【発明を実施するための形態】
【００１５】
以下、本発明の実施の形態の結束バンドについて図面を参照しながら詳細を説明する。図１及び図２に示すように、結束バンド１は、バンド部２と頭部３で構成され、頭部３の外面の中央部よりバンド部２が延長されている。図３〜図６に示すように、頭部３に開口されている挿通孔４の内部に２個の鋸歯状の止め歯７ａ、７ｂが設けてあり、これらの止め歯７ａ、７ｂはそれぞれが入口側に向かって固縛作用を発揮する（バンド部２に張力が作用した時に噛合する）鋸歯状の歯が形成されている。従って、止め歯７ａ、７ｂがそれぞれ逆向きで、両者の間に狭い幅のスリット９が設けてある。
【００１６】
前記鋸歯状の歯は２個ずつ設けられ、その大きさは固縛する際にバンド部２に作用する張力に応じて決められる。またスリット９は、成型時に止め歯７ａ、７ｂを背中合わせに分断して２個に分割する役目をするが、挿通孔４にバンド部２を挿通した時に出口側に位置している止め歯７ｂ或いは７ａが、バンド部２の張力で僅かに後退する。この時、背後の止め歯７ａ或いは７ｂが、出口側の止め歯７ａ或いは７ｂの背後を押圧して前記出口側の止め歯の噛合作用を援助できる程度の幅であることが好ましい。
【００１７】
これらの止め歯７ａと７ｂとの関係について述べれば、図３に示すように、挿通孔４のバンド部２を押込む入口側（矢印Ｓ）の止め歯７ａが、バンド部２の噛合歯６ｂと噛合せず、出口側（引出側）の噛合歯７ｂと噛合するように構成した点に大きな特徴がある。これらの１対の止め歯７ａ、７ｂの関係は図６及び図４に示すように、止め歯７ａは右（図面では下）の壁面に接近して配置され、残りの止め歯７ｂは挿通孔４の左（図面では上）の壁面に偏って配置されており、止め歯７ａ、７ｂの側面と挿通孔４の壁面との間に空間Ｇが形成されている。つまり、一般の結束バンドの止め歯より狭幅の止め歯一対を前記のように壁面に偏って配置されている点に特徴がある。
【００１８】
バンド部２の断面を図５に示しており、表裏両面に噛合歯６ａ、６ｂがそれぞれ形成されていると共に、これらの噛合歯６ａ、６ｂの空間Ｇ側に広幅のレール５ａが配置され、他方にはレール５ａより狭幅のレール５ｂが配置されている。
【００１９】
つまり、挿通孔４の一方に壁面に偏って配置されている止め歯７ａ、７ｂに合わせてレール５ａが形成されている訳であるが、挿通方向（図５の矢印Ｓ）の入口側の止め歯７ａが噛合しないように広幅のレール５ａで押圧するように構成されているのである。また、挿通孔４のバンド部２が引出される側（出口）の止め歯７ｂにバンド部２の側部に形成したレール５ｂは、この止め歯７ｂを押圧しないように狭幅に形成されている。なお、広幅のレール５ａは、挿通孔４の入り口側の止め歯の噛合機能を抑制するものであるから、前記の構造に限定されることなく、例えば、狭幅のレールと、このレールと並行する突条でもよく、あるいは小突起を直線状に形成したものであっても利用することができる。
【００２０】
図７は、頭部３の挿通孔４内に両壁に設けたガイドレール８、８の上面にバンド部２を挿通した状態を示しており、この図においては手前側の止め歯７ａがバンド部２の広幅のレール５ｂで押圧されて噛合せず、出口側（奥側）の止め歯７ｂが噛合している状態を示している。
【００２１】
図８は、頭部３の挿通孔４にバンド部２を挿通させた状態の断面図を示しており、この図８と図７を参照すれば、本発明に係る双方向挿通型の結束バンドの作用効果、つまり、挿通方向Ｓの出口側の止め歯７ｂのみが固縛作用を発揮していることが理解できるであろう。
【００２２】
〔第２の実施の形態〕
図９乃至図１２は、第２の実施例を示しており、これらを参照して本発明に係る双方向挿通型の結束バンドについて説明する。
【００２３】
この結束バンド１Ａは、頭部３Ａにあけた挿通孔４Ａの上下面（図９の左右方向）に、一対の止め歯７Ａ，７Ｂを設けたものである。バンド部２Ａは図１２のように片面に噛合歯６Ａを形成し、背面にはバンド部２Ａに滑り止め機能を持たせる意味で２本の溝部１０Ａが長手方向に設けられている。
【００２４】
この結束バンド１Ａは、図９に示すように挿通孔４Ａにバンド部２Ａを矢印Ｄ（下側）あるいは矢印Ｕ（上側）から挿通する場合を示している。下側Ｄ方向にバンド部２Ａを曲げて挿通する場合は、上側の止め歯７Ｂと噛合することになる。また、バンド部２Ａを上側Ｕに曲げて挿通する場合は下側の止め歯７Ａと噛合する。つまり、止め歯７Ａ、７Ｂは挿通孔４Ａ内に反対向きに設けてあり、バンド部２Ａが挿通孔４Ａの何れの側から挿通しても１個の止め歯と噛合することになるのである。
【００２５】
この実施例のタイプの結束バンド１Ａは、通常の結束バンドに比較すると長い頭部３Ａが形成されているので、この頭部３Ａが細長く、挿通孔４Ａの内部の部材が見えることから操作性が良い特徴がある。
【産業上の利用可能性】
【００２６】
本発明に係る結束バンドは、操作性に優れていることから、合成樹脂の性質によって各種の用途、例えば、家庭の小物の整理や農業用の植物の固縛手段としても利用することができる。
【符号の説明】
【００２７】
１    結束バンド
２    バンド部
３    頭部
４    挿通孔
５    レール
６    噛合歯
７    止め歯
９    スリット
１０  ガイドレール
【図１】
2015058973.tif 000003
【図２】
2015058973.tif 000004
【図３】
2015058973.tif 000005
【図４】
2015058973.tif 000006
【図５】
2015058973.tif 000007
【図６】
2015058973.tif 000008
【図７】
2015058973.tif 000009
【図８】
2015058973.tif 000010
【図９】
2015058973.tif 000011
【図１０】
2015058973.tif 000012
【図１１】
2015058973.tif 000013
【図１２】
2015058973.tif 000014
【図１３】
2015058973.tif 000015